(57)【特許請求の範囲】
【請求項１】
撮像手段と、
供給される画像を高精細度画像にアップコンバートするアップコンバート手段と、
画像表示手段と、
供給される画像に、指定領域を示す枠を付加する枠付加手段と
前記撮像手段で撮像した画像を、高精細度画像を表示可能な外部高精細画像表示装置へ出力する場合は、前記撮像した画像を、前記アップコンバート手段へ供給して高精細度画像にアップコンバートさせて出力し、
前記撮像した画像の前記指定領域を拡大する場合は、前記撮像した画像を前記アップコンバート手段へ供給するとともに、このアップコンバート手段をズーム手段として機能させて、前記指定領域を拡大させ、
前記撮像した画像を拡大表示する際に、外部画像表示装置が接続された場合は、前記アップコンバート手段をズーム手段として機能させて、前記指定領域を示す枠内の領域の画像を拡大させた画像を前記外部画像表示装置に供給し、前記枠付加手段によって前記指定領域を示す枠を付加させた画像を前記画像表示手段に供給する制御手段と、
を有することを特徴とする撮像装置。
【請求項２】
撮像手段と、
供給される画像を高精細度画像にアップコンバートするアップコンバート手段と、
画像表示手段と、
供給される画像に、指定領域を示す枠を付加する枠付加手段と
供給される画像を記録媒体に記録し、また、前記記録媒体に記録された画像を再生する記録再生手段と、
前記撮像手段で撮像した画像を、高精細度画像を表示可能な外部高精細画像表示装置へ出力する場合は、前記撮像した画像を、前記アップコンバート手段へ供給して高精細度画像にアップコンバートさせて出力し、
前記撮像した画像の前記指定領域を拡大する場合は、前記撮像した画像を前記アップコンバート手段へ供給するとともに、このアップコンバート手段をズーム手段として機能させて、前記指定領域を拡大させ、
前記撮像した画像を記録する場合は、この撮像した画像を前記アップコンバート手段へ供給して高精細度画像にアップコンバートさせて前記記録再生手段に供給し、
前記記録媒体に記録された画像を、高精細度画像を表示可能な外部高精細画像表示装置へ出力する場合は、前記記録媒体に記録された画像を前記記録再生手段が再生した再生画像を、前記アップコンバート手段を介してそのまま出力し、
前記再生画像の指定領域を拡大する場合は、前記再生画像を前記アップコンバート手段へ供給し、このアップコンバート手段をズーム手段として機能させて、前記指定領域を拡大させ、
前記撮像した画像又は前記再生画像を拡大表示する際に、前記外部高精細画像表示装置が接続された場合は、前記アップコンバート手段をズーム手段として機能させて、前記指定領域を示す枠内の領域の画像を拡大させた画像を前記外部画像表示装置に供給し、前記枠付加手段によって前記指定領域を示す枠を付加させた画像を前記画像表示手段に供給する制御手段と、
を有することを特徴とする撮像装置。
【請求項３】
供給される画像を低精細度画像へダウンコンバートするダウンコンバート手段を更に有し、
前記制御手段は、前記撮像した画像を、前記画像表示手段、又は低精細度画像のみ表示可能な外部低精細画像表示装置へ出力する場合、前記撮像した画像を前記ダウンコンバート手段によって前記低精細度画像へダウンコンバートさせてから出力することを特徴とする請求項１又は２載の撮像装置。
【発明の詳細な説明】
【技術分野】
【０００１】
本発明は、画像情報を記録再生する撮像装置に関し、特に画像の一部を拡大表示するズ
ーム機能を備えるものに関する。
【背景技術】
【０００２】
図４は、再生画像の一部を拡大表示する再生ズーム機能を有する従来の撮像装置の構成
例を示すブロック図である。図４において撮像装置は、ＣＣＤなどの撮像素子１０１と、
撮像素子１からの信号より輝度信号と色差信号とを生成し、ガンマ補正・輪郭補正などの
画質の調整を行うとともに、フォーカスやホワイトバランスなどのオート機能に必要な情
報を検出する信号処理回路１０２と、電子ズームやワイプ・フェーダなどの特殊効果を付
加する処理をおこなう特殊効果回路１０３と、ＮＴＳＣ信号へのエンコード処理や液晶モ
ニタ出力のためにＲＧＢ信号を生成するとともに、デジタル信号をアナログ信号に変換し
、液晶モニタや外部ＴＶモニタに画像を出力するインターフェイス回路１０４と、インタ
ーフェイス回路１０４と、ＤＶフォーマットなどの記録方式に従い記録画像を圧縮したり
、再生時に圧縮された信号を元に戻す処理を行う圧縮伸張回路１０５と、液晶モニタ１０
６と、画像情報が記録される記録媒体１０８とを備えている。なお、図４においては、外
部ＴＶモニタ１０７が接続された状態が示されている。
【０００３】
この従来の撮像装置では、撮影時、撮像素子１０１から信号処理回路１０２を経て、特
殊効果回路１０３で電子ズームなどの効果を与えられた画像信号が、インターフェイス回
路１０４を介して、本体の液晶モニタ１０６や外部ＴＶモニタ１０７に出力されるととも
に、圧縮伸張回路１０５で処理された信号が記録媒体１０８に記録される。
【０００４】
一方、再生時は記録媒体１０８から再生された圧縮信号が、圧縮伸張回路１０５で非圧
縮の信号に戻され、必要に応じて電子ズームなどの効果が特殊効果回路１０３で与えられ
、インターフェイス回路１０４を介して、本体の液晶モニタ１０６及び外部ＴＶモニタ１
０７に出力される（図中太線で表示）。
【０００５】
再生時に画面の一部を拡大して表示する再生ズームという機能が、すでに商品化されて
いる。これは図５に示すように通常再生時に同図（ａ）のような画像の中で、ユーザが拡
大して見たい、枠で囲んだ領域（同図（ｂ））を電子ズームにより拡大し、同図（ｃ）に
示すような画像を本体の液晶モニタ１０６や外部ＴＶモニタ１０７に出力するものである
。
なお、再生ズーム機能を有する撮像装置は、例えば特許文献１に示されている。
【特許文献１】特開平７−４６５３４号公報
【発明の開示】
【発明が解決しようとする課題】
【０００６】
上記従来装置では、拡大したい画像が小さいため拡大率が高く、その画像が動いている
場合は、その拡大する領域を画像に合わせて追従させることは容易ではない。見失った時
は拡大率を一旦低くする必要があり、操作性が悪いという課題があった。
【０００７】
本発明はこの点に着目してなされたものであり、動画像の一部を拡大表示する場合の操
作性を向上させることができる撮像装置を提供することを目的とする。
【課題を解決するための手段】
【０００８】
上記目的を達成するため、本発明は、下記の装置を提供するものである。
（１）撮像手段と、
供給される画像を高精細度画像にアップコンバートするアップコンバート手段と、
画像表示手段と、
供給される画像に、指定領域を示す枠を付加する枠付加手段と
前記撮像手段で撮像した画像を、高精細度画像を表示可能な外部高精細画像表示装置へ出力する場合は、前記撮像した画像を、前記アップコンバート手段へ供給して高精細度画像にアップコンバートさせて出力し、
前記撮像した画像の前記指定領域を拡大する場合は、前記撮像した画像を前記アップコンバート手段へ供給するとともに、このアップコンバート手段をズーム手段として機能させて、前記指定領域を拡大させ、
前記撮像した画像を拡大表示する際に、外部画像表示装置が接続された場合は、前記アップコンバート手段をズーム手段として機能させて、前記指定領域を示す枠内の領域の画像を拡大させた画像を前記外部画像表示装置に供給し、前記枠付加手段によって前記指定領域を示す枠を付加させた画像を前記画像表示手段に供給する制御手段と、
を有することを特徴とする撮像装置。
（２）撮像手段と、
供給される画像を高精細度画像にアップコンバートするアップコンバート手段と、
画像表示手段と、
供給される画像に、指定領域を示す枠を付加する枠付加手段と
供給される画像を記録媒体に記録し、また、前記記録媒体に記録された画像を再生する記録再生手段と、
前記撮像手段で撮像した画像を、高精細度画像を表示可能な外部高精細画像表示装置へ出力する場合は、前記撮像した画像を、前記アップコンバート手段へ供給して高精細度画像にアップコンバートさせて出力し、
前記撮像した画像の前記指定領域を拡大する場合は、前記撮像した画像を前記アップコンバート手段へ供給するとともに、このアップコンバート手段をズーム手段として機能させて、前記指定領域を拡大させ、
前記撮像した画像を記録する場合は、この撮像した画像を前記アップコンバート手段へ供給して高精細度画像にアップコンバートさせて前記記録再生手段に供給し、
前記記録媒体に記録された画像を、高精細度画像を表示可能な外部高精細画像表示装置へ出力する場合は、前記記録媒体に記録された画像を前記記録再生手段が再生した再生画像を、前記アップコンバート手段を介してそのまま出力し、
前記再生画像の指定領域を拡大する場合は、前記再生画像を前記アップコンバート手段へ供給し、このアップコンバート手段をズーム手段として機能させて、前記指定領域を拡大させ、
前記撮像した画像又は前記再生画像を拡大表示する際に、前記外部高精細画像表示装置が接続された場合は、前記アップコンバート手段をズーム手段として機能させて、前記指定領域を示す枠内の領域の画像を拡大させた画像を前記外部画像表示装置に供給し、前記枠付加手段によって前記指定領域を示す枠を付加させた画像を前記画像表示手段に供給する制御手段と、
を有することを特徴とする撮像装置。
（３）供給される画像を低精細度画像へダウンコンバートするダウンコンバート手段を更に有し、
前記制御手段は、前記撮像した画像を、前記画像表示手段、又は低精細度画像のみ表示可能な外部低精細画像表示装置へ出力する場合、前記撮像した画像を前記ダウンコンバート手段によって前記低精細度画像へダウンコンバートさせてから出力することを特徴とする上記（１）又は（２）記載の撮像装置。
【発明の効果】
【０００９】
本発明によれば、外部画像表示装置が接続されているときは、本体の画像表示手段には拡大する領域を示す枠が表示され、外部画像表示装置には枠で示される領域の拡大再生画像が表示される。したがって、動いている対象物の追従は、本体の画像表示手段により行い、拡大画像は外部画像表示装置により視聴することができ、ズーム機能を使用するときの操作性を向上させることができる。
【発明を実施するための最良の形態】
【００１０】
以下本発明の実施の形態を図面を参照して説明する。
（第１の実施形態）
図１は本発明の第１の実施形態にかかる撮像装置の構成を示すブロック図である。図１
において、撮像素子１、信号処理回路２、圧縮伸張回路５、液晶モニタ６、及び記録媒体
８は、それぞれ図４に示す撮像素子１０１、信号処理回路１０２、圧縮伸張回路１０５、
液晶モニタ１０６、及び記録媒体１０８に対応し、同一の機能を有する。図１に示す撮像
装置は、さらに特殊効果部３と、選択枠付加回路１０と、インターフェイス回路４ａ及び
４ｂを備えている。
【００１１】
特殊効果部３は、図４の特殊効果回路１０３と同一の機能を有する特集効果回路３ａと
、スイッチ９とを備えている。選択枠付加回路１０は、再生画像の一部の領域を拡大する
再生ズームを行うときに、その拡大する領域を示す枠を再生画像に付加する。撮影時は、
入力信号をそのまま出力する。インターフェイス回路４ａ及び４ｂは、それぞれ液晶モニ
タ６及び外部ＴＶモニタ７に画像を出力する。
【００１２】
撮影時は撮像素子１から信号処理回路２を通った信号が、特殊効果回路３ａに入力され
、電子ズームなどの処理が行われる。特殊効果回路３ａの出力信号は、インターフェイス
回路４ａを通して外部ＴＶモニタ７へ出力されるとともに、圧縮伸張回路５を通して記録
媒体８に記録される。特殊効果回路３ａの出力信号は、スイッチ９の端子Ｂに供給され、
スイッチ９の端子Ｂ側が選択された状態で、選択枠付加回路１０及びインターフェイス回
路４ａを通り、本体内蔵の液晶モニタ６へ出力される。
【００１３】
再生時は記録媒体８から出力された圧縮データが圧縮伸張回路５で非圧縮信号に戻され
、特殊効果回路３ａで電子ズームなどの処理が行われ、その後は撮影時と同じ経路で本体
内蔵の液晶モニタ６及び外部ＴＶモニタ７に出力される（図中太線表示の中のスイッチ９
が端子Ｂ側が接続された状態）。
【００１４】
通常、本体に内蔵された液晶モニタ６の再生時の使用法は、撮影した画像の確認及び外
部ＴＶモニタが無い状況での視聴であるが、本体内蔵の液晶モニタ６は、画面サイズも小
さく解像度も低いため、液晶モニタ６だけでの視聴時に再生ズーム機能を使用することは
まれである。また、外部ＴＶモニタ接続時に再生ズームを行う場合には、通常液晶モニタ
６を見る必要は無い。そこで、本実施形態では、再生時に外部ＴＶモニタ７が接続された
とき、スイッチ９が電子ズームを行わない端子Ａ側を選択するとともに、選択枠付加回路
１０にて電子ズームを行っている領域を示す白枠などの表示のみを入力画像信号付加して
、該付加処理後の信号を液晶モニタ６に出力する。スイッチ９を端子Ａ側に接続し、拡大
する領域に表示を行った場合の再生ズーム時の出力画像を図２に示す。図２（ａ）は、ズ
ーム前の画像、図２（ｂ）は、ユーザが拡大してみたい領域を白枠で示す。図２（ｃ）は
、本体内蔵の液晶モニタ６に表示される画像を示し、図２（ｄ）は、外部ＴＶモニタ７に
表示される画像を示す。
【００１５】
このように外部モニタ７の接続時に本体内蔵の液晶モニタ６は、実際のズーム処理され
た画像の表示は行わず、ズームを行っている選択領域の表示のみを行うようにしたので、
動いている画像への追従は本体内蔵の液晶モニタ６を用い、その視聴には外部ＴＶモニタ
７を使用することにより、動いている画像へ追従するための操作が容易になる。
【００１６】
（第２の実施形態）
図３は、本発明の第２の実施形態にかかる撮像装置の構成を示すブロック図である。こ
の装置は、撮像素子１、信号処理回路２、選択枠付加回路１０、圧縮伸張回路５、液晶モ
ニタ６、及び記録媒体８を備えており、これらの機能は図１に示すものと同一である。イ
ンターフェイス回路４は、液晶モニタ６及び外部ＴＶモニタ７に画像を出力する。特殊効
果回路３ｂは、電子ズーム処理は行わず、それ以外の特殊処理を行う。
【００１７】
本実施形態の撮像装置は、走査線１１２５本でインタレース走査の画像や走査線７５０
本でプログレッシブ走査の画像といった高精細度画像（以下「ＨＤ画像」という）を記録
するとともに液晶モニタ６やＮＴＳＣ信号用の外部ＴＶモニタ７ヘはＨＤ画像をダウンコ
ンバートした画像信号（ＮＴＳＣ信号に変換した画像信号）を出力する。すなわち、図３
に示す撮像装置は、ダウンコンバート回路１１と、アップコンバート回路１２と、ＨＤ画
像用の外部ＨＤＴＶモニタ１４に画像を出力するインターフェイス回路１３とをさらに備
えている。
【００１８】
ダウンコンバート回路１１は、入力画像信号をＮＴＳＣ信号に変換する回路であり、ア
ップコンバート回路１２は、入力画像信号をＨＤ画像信号に変換する回路である。
【００１９】
図３に太線で示した部分が、再生時の信号の流れとなる。ダウンコンバート回路１１及
びアップコンバート回路１２は、放送方式を変換するため、水平・垂直の画像サイズの変
換機能を有する。そのため、本実施形態において再生ズームを行うときは、ＨＤ画像を出
力するアップコンバート回路１２によりズーム処理を行い、本体の液晶モニタ６及びＮＴ
ＳＣ信号の外部ＴＶモニタ７ヘの出力をするダウンコンバート回路１１ではズーム処理は
行わずに、アップコンバート回路１２でズームを行っている領域の表示のみを選択枠付加
回路１０を用いて行う。これにより、本体の液晶モニタ６及びＮＴＳＣ信号の外部ＴＶモ
ニタ７ヘはズームを行わずズームの範囲のみを示した画像が出力され、ズーム画像の視聴
はＨＤＴＶモニタ１４で行うことができる。したがって第１の実施形態と同様の効果を得
ることができる。
【００２０】
もちろんこの場合も、第１の実施形態と同様の信号の流れが実現できるように構成する
ことで、本体内蔵の液晶モニタのみズームを行わずに選択枠の表示のみを行うような構成
にすることも可能である。
【００２１】
なお、本発明は上述した実施形態に限るものではなく、変形が可能である。例えば、上
述した実施形態では再生時にズームを行う例を示したが、記録時あるいはカメラのみの動
作時にズームを行う場合にも適用可能である。
また、上述した第１及び第２の実施形態では、再生ズームに関して述べたが、本体の液
晶モニタには加工しない画像を表示し、外部ＴＶモニタには加工した画像を出力すること
でメリットの得られる機能がある場合に応用可能であることは言うまでも無い。
【図面の簡単な説明】
【００２２】
【図１】本発明の第１の実施形態にかかる撮像装置の構成を示すブロック図である。
【図２】ズーム機能を説明するための図である。
【図３】本発明の第２の実施形態にかかる撮像装置の構成を示すブロック図である。
【図４】従来の撮像装置の構成を示す図である。
【図５】ズーム機能を説明するための図である。
【符号の説明】
【００２３】
１  撮像素子
２  信号処理回路
３  特殊効果部
３ａ  特殊効果回路（ズーム手段）
４ａ  インターフェイス回路
４ｂ  インターフェイス回路（外部画像表示手段）
６  液晶モニタ（画像表示手段）
７  外部ＴＶモニタ（外部画像表示装置）
９  スイッチ（制御手段）
１０  選択枠付加回路（枠表示手段）
【図１】
0004737267.tif 000002
【図２】
0004737267.tif 000003
【図３】
0004737267.tif 000004
【図４】
0004737267.tif 000005
【図５】
0004737267.tif 000006